(57)【要約】【課題】通帳スタッカに収納される通帳毎に印刷された色や紙質が異なる場合であっても、単一の圧力検知部から出力される信号から容易に通帳冊数を計数することができるようにする。【解決手段】圧力検知部９を通帳カセット２に装填されたすべての通帳１６の綴じ目に当接させ、その圧力を感知した圧力検知部９が出力する信号から通帳毎の出力波形を計数して通帳の冊数とする。【選択図】        図１
2007241763.tif 000002
【特許請求の範囲】
【請求項１】
綴じ目のある複数の通帳を装填した通帳カセットを有する通帳取扱装置において、
通帳カセットに装填されたすべての通帳の綴じ目に当接させ、その圧力を感知して信号を出力する複数の圧力検知素子からなる圧力検知部と、
前記圧力検知部から出力された信号から通帳毎の出力波形を計数して通帳の冊数を検出する制御部とを設けたことを特徴とする通帳取扱装置。
【請求項２】
請求項１の通帳取扱装置において、
前記圧力検知部を、感圧して信号を出力する複数の圧力検知素子を格子状に配置した圧力検知板としたことを特徴とする通帳取扱装置。
【請求項３】
請求項１または請求項２の通帳取扱装置において、
前記制御部が、前記圧力検知部から出力された信号から異物および装填不良を検知するとともに、異物または装填不良を検知したとき、その旨を表示部に表示して報知するようにしたことを特徴とする通帳取扱装置。
【請求項４】
請求項３の通帳取扱装置において、
前記制御部が、前記圧力検知部から出力された信号の波形の周期と予め記憶部に記憶された基準となる周期とを比較して異物および装填不良を検知するようにしたことを特徴とする通帳取扱装置。
【請求項５】
請求項３または請求項４の通帳取扱装置において、
前記制御部が、装填不良を検知したとき、通帳カセットに装填された通帳を揃える押圧板の押圧力を緩め、前記圧力検知部が通帳に当接する圧力を用いて該装填不良を修正するようにしたことを特徴とする通帳取扱装置。
【発明の詳細な説明】
【技術分野】
【０００１】
本発明は、金融機関等において使用され、通帳を収納しておく通帳カセットを有する通帳取扱装置に関し、特に、通帳カセット内に収納された通帳の冊数を計数する通帳取扱装置に関する。
【背景技術】
【０００２】
従来の通帳取扱装置は、通帳をその綴じ目を上にして立てた状態で通帳カセット内に並べて収納するものがあり、このような通帳取扱装置において、通帳カセット内の通帳に光を照射する発光素子と通帳からの反射光を受光する受光素子からなる光学センサを通帳の整列方向に移動させ、通帳からの反射光を受光した受光素子の出力を解析して、通帳カセット内の通帳の有無、および通帳の冊数を認識することにより、通帳カセット内の通帳の収納冊数を正確に管理することができるようにした技術が提案されている（例えば、特許文献１参照）。
【特許文献１】特開平８−７７２６８号公報（段落「００３３」〜段落「００３８」、図１、図３、図５）
【発明の開示】
【発明が解決しようとする課題】
【０００３】
しかしながら、上述した従来の技術においては、通帳スタッカに収納される通帳には総合口座通帳や定期預金口座通帳等の複数の種類が存在するところ、その通帳毎に印刷された色や紙質が異なる場合があり、このような場合、通帳からの反射光が異なるものになってしまい通帳の種類毎に光学センサを選択する必要があり、また、通帳からの反射光を受光した受光素子の出力を解析する方法を変更する必要があるという問題がある。
【０００４】
また、受光素子が受ける外光等のノイズが原因となり通帳の冊数を誤って認識してしまうことがあるため、光学センサがノイズを受け難い装置構成にする必要があるという問題がある。
本発明は、このような問題を解決することを課題とする。
【課題を解決するための手段】
【０００５】
そのため、本発明は、綴じ目のある複数の通帳を装填した通帳カセットを有する通帳取扱装置において、通帳カセットに装填されたすべての通帳の綴じ目に当接させ、その圧力を感知して信号を出力する複数の圧力検知素子からなる圧力検知部と、前記圧力検知部から出力された信号から通帳毎の出力波形を計数して通帳の冊数を検出する制御部とを設けたことを特徴とする。
【発明の効果】
【０００６】
このようにした本発明は、通帳スタッカに収納される通帳毎に印刷された色や紙質が異なる場合であっても、単一の圧力検知部で通帳の冊数を計数することができ、また、複雑なアルゴリズムを用いることなく圧力検知部から出力される信号から容易に通帳冊数を計数することができるという効果が得られる。
さらに、外部からノイズを受け難くなり通帳処理装置の構成を簡素にすることができるという効果が得られる。
【発明を実施するための最良の形態】
【０００７】
以下、図面を参照して本発明による通帳取扱装置の実施例を説明する。
【実施例】
【０００８】
まず、第１の実施例について説明する。
図１は第１の実施例における通帳処理装置の概略構成を示すブロック図である。
図１において、１は通帳取扱装置であり、この通帳取扱装置１は通帳カセット２、カセット収納部３、ホッパ部４、通帳搬送路５、通帳処理部６、スタック部７、リジェクト部８、圧力検知部９、操作表示部１０、記憶部１１およびこれら各部を制御する制御部１２等を備えており、通信回線１３を介してホストサーバ（上位装置）１４に接続されている。
【０００９】
ここで、カセット収納部３はホッパ部４に沿ってその両側に複数段設けられており、各カセット収納部３には番号が付与され、その番号により制御部１２が通帳カセット２の装着の有無等を管理するものとなっている。
通帳１６は各カセット収納部３に取外し可能に装着された通帳カセット２内に綴じ目側を上にして直立した状態で整列させて収納されており、コイルスプリング等により付勢された押圧板によって繰出し口側に押圧されている。
【００１０】
また、通帳カセット２内の通帳１６は図示しないローラ等による繰出し手段により１冊ずつ繰出され、繰出された通帳１６はホッパ部４に取り込まれて通帳搬送路５へ移送されるものとなっている。
通帳処理部６は通帳搬送部５に沿って配置された磁気ヘッド、頁捲り手段、印字手段、頁検知手段、印字済行検知手段等を有し、前記ホッパ部４から通帳搬送路５に送り込まれた通帳１６は通帳処理部６に搬送され、磁気ストライプに対する磁気データの書込みおよび読取り、表紙および頁の順捲りあるいは逆捲り、頁検知、印字済行数検知、印字等が行なわれすべての処理が終わった後、スタック部７に搬送されて発行される。
【００１１】
上記処理中にエラーが発生し、制御部１２で通帳１６自体に問題があると判断された場合、その通帳１６はリジェクト部８に搬送されて回収、保管される。
圧力検知部９は、各カセット収納部３の通帳カセット２上方に位置するように設けられ、図示しない昇降機構により上下動可能になっている。
この圧力検知部９としては、例えば感圧すると電気信号（以下、単に「信号」という。）を出力する圧力検知素子等によって構成される圧力センサが用いられ、この圧力センサは昇降機構により通帳カセット２に収納されている通帳１６の綴じ目に当接されるとその圧力を検知して信号を制御部１２へ出力する。制御部１２はその出力された信号から通帳冊数の計数を行なうとともに、装填の不良の検出を行なうものとなっている。
【００１２】
操作表示部１０は、液晶ディスプレイ等の表示部と、この表示部上に配置された係員操作用のタッチパネルにより構成されている。
記憶部１１は各カセット収納部３に装着された通帳カセット２内の通帳１６の残り冊数や装填不良情報等の通帳１６に関する情報を記憶する部位であり、この記憶部１１には通帳装填時等に操作表示部１０に表示する画面の画面情報、および制御プログラム等も格納されている。
【００１３】
制御部１２は、記憶部１１に記憶された制御プログラムにしたがってホッパ部４、通帳搬送路５、通帳処理部６、スタック部７、リジェクト部８、圧力検知部９、操作表示部１０等を制御し、通帳を取扱う処理を実行するとともに、圧力検知部９からの圧力信号に基づいて各通帳カセット２内の通帳１６の冊数の計数や装填の不良の検出を行なって通帳を管理する各種の手段としての機能を有する。
【００１４】
また、制御部１２は、外部インターフェースを有し、通帳記帳や通帳発行の際、必要に応じて外部インターフェースにより通信回線１３を介してホストサーバ１４と接続し、ホストサーバ１４とデータの授受を行なって通帳処理部６に通帳１６への印字や磁気記録を実行させる。
ホストサーバ１４は、各顧客の氏名、電話番号、支店番号、口座種別、口座番号等の顧客情報や未記帳データ等を記憶した図示しないデータベースを管理する装置である。
【００１５】
図２は第１の実施例における圧力検知板の説明図であり、図２（ａ）は圧力検知板からの出力信号を示した図、図２（ｂ）は圧力検知板の上面図、図２（ｃ）は通帳カセット２の側面図である。
図２（ｃ）は通帳カセット２に押圧板２３により押圧された通帳１６が整列して装填され、その通帳１６の上方に圧力検知板が配置されていることを示すものである。図２（ｃ）において、Ａは圧力検知板の初期位置を示し、Ｂは圧力検知板の可動最下位置を示す。
【００１６】
図２（ｂ）において、２１は圧力検知板であり、圧力検知部９を構成する圧力センサである。この圧力検知板２１には複数の圧力検知素子２２が備えられ、その圧力検知素子２２は通帳カセット２に収納された通帳１６の整列方向と同一の方向に並べて配置されている。また、通帳カセット２に収納される通帳１６の厚さは既知のものであるため、圧力検知素子２２はひとつの通帳１６の綴じ目につき、ひとつの圧力検知素子２２が当接するように配置されている。圧力検知板２１が通帳１６の綴じ目に当接すると図中斜線でハッチングされた圧力検知素子２２１は信号を出力する。
【００１７】
なお、圧力検知板２１が通帳１６の綴じ目に当接するとき通帳１６の綴じ目はたわみ当接面が広くなるが、このことを考慮して予め実験等により圧力検知素子２２の幅が決定されているものとする。
図２（ａ）は、圧力検知素子２２から出力された信号（電圧）の波形を示し、通帳１６の綴じ目に当接した圧力検知素子２２１からスライスレベルを超えるハイレベルの信号が出力され、当接していない圧力検知素子２２からスライスレベルを超えないローレベルの信号が出力される。
【００１８】
制御部１２は圧力検知板２１から出力された信号を入力し、ハイレベルの信号を計数して通帳１６の冊数を算出する。
上述した構成の作用について説明する。
図３は第１の実施例における通帳冊数の計数処理を示すフローチャートであり、図中Ｓで表すステップにしたがって説明する。
【００１９】
Ｓ１ａ：通帳取扱装置１の制御部１２は記憶部１１に記憶された各カセット収納部３における通帳カセット２内の通帳冊数に基づいて、残量が一定数以下になったニアエンドの通帳１６があるか否か、つまり通帳１６がニアエンドになったか否かを監視しており、通帳１６がニアエンドになった場合、そのニアエンドの通帳１６の補充が必要である旨のメッセージを入れた画面を操作表示部１０に表示して係員に通帳１６の補充を促す。
【００２０】
その画面を確認した係員はカセット収納部３から通帳カセット２を取り出し、その取り出した通帳カセット２内に通帳１６を揃えてニアエンドが検知された通帳カセット２に装填した後、通帳カセット２を再びカセット収納部３の装着するものとする。
各通帳カセット２の取り出しと装着は、各カセット収納部３に設けられている図示しないセンサにより検知され、そのセンサの出力により制御部１２は通帳カセット２の着脱を認識し、補充が行なわれた通帳カセット２の計数動作を開始する指示をカセット収納部３へ送信する。
【００２１】
Ｓ２ａ：このようにして計数動作を開始する指示を受信したカセット収納部３は補充が行なわれた通帳カセット２の押圧板２３で装填された通帳１６を押圧する。なお、以下の説明は補充が行なわれた通帳カセット２について行なう。
Ｓ３ａ：次に、制御部１２の指示により圧力検知部９は図２（ｃ）に示すように圧力検知板２１を通帳カセット２に装填された通帳１６の上方であり、通帳１６に当接しない位置である初期位置Ａにセットする。
【００２２】
Ｓ４ａ：圧力検知板２１を初期位置にセットすると制御部１２はその圧力検知板２１から出力される信号がローレベルで一定していることを確認する。
その確認の結果、圧力検知板２１から出力される信号がローレベルで一定していないときは処理をＳ３ａへ移行し、再度、圧力検知板２１を初期位置Ａにセットさせる。一方、ローレベルで一定しているが確認できると処理をＳ５ａへ移行する。
【００２３】
Ｓ５ａ：ローレベルで一定しているが確認できると制御部１２は圧力検知部９に圧力検知板２１を下降させる指示を送信する。指示を受信した圧力検知部９は図２（ｃ）に示すように圧力検知板２１を可動最下位置Ｂまで下降させ、その圧力検知板２１を通帳１６の綴じ目に当接させる。
Ｓ６ａ：圧力検知板２１を通帳１６に当接させると圧力検知部９は圧力検知板２１からの信号を制御部１２へ出力する。制御部１２は圧力検知板２１から入力した信号からハイレベルの信号を計数して通帳１６の冊数を算出する。
【００２４】
Ｓ７ａ：通帳１６の冊数を算出すると制御部１２の指示により圧力検知部９は圧力検知板２１を初期位置に戻して通帳冊数の計数処理を終了する。
次に、装填された通帳カセット２に異物が混入していた場合の通帳冊数の計数処理を説明する。
図５は第１の実施例における通帳冊数の計数処理を示すフローチャートであり、図中Ｓで表すステップにしたがって説明する。
【００２５】
Ｓ１ｂ〜Ｓ５ｂ：図３におけるＳ１ａ〜Ｓ５ａと同様なので説明を省略する。
Ｓ６ｂ：圧力検知板２１を通帳１６に当接させると圧力検知部９は圧力検知板２１からの信号を制御部１２へ出力する。制御部１２は圧力検知板２１から入力した信号から通帳１６と通帳１６の間隔を計測する。すなわち、制御部１２はハイレベルを出力する圧力検知素子２２間に存在するローレベルを出力する圧力検知素子２２を計数する処理を行なう。
【００２６】
ここで、この処理について、図４を用いて説明する。
図４は第１の実施例における圧力検知板の説明図（異物等が装填された場合）であり、図４（ａ）は圧力検知板からの出力信号を示した図、図４（ｂ）は圧力検知板の上面図、図４（ｃ）は通帳カセット２の側面図である。
図４（ｃ）に示すように、通帳カセット２に装填された通帳１６の中に通常の通帳１６と比較して高さ方向における長さが短い通帳１６１や厚い通帳１６２（異物）が混入しているものとする。
【００２７】
このように通帳カセット２に異物が混入していると図４（ｂ）に示すように短い通帳１６１の上方に位置する圧力検知素子２２は通帳１６１に当接することなく、また、厚い通帳１６２の上方に位置する複数の圧力検知素子２２１は通帳１６２に当接する。なお、図中斜線でハッチングされた圧力検知素子２２は通帳１６に当接していることを示す。
制御部１２は図４（ａ）に示す圧力検知板２１が出力する信号を入力し、ハイレベルおよびローレベルの信号を出力する圧力検知素子２２が出現する周期により異物が装填されているか否かを確認する。
【００２８】
すなわち、制御部１２は、例えば図４（ａ）に示すように単位素子数３個あたりハイレベルの信号が１個、連続するローレベルの信号が２個の周期（デューティー比）で一定して出現するか否かを判定する。
なお、本実施例では、通常の通帳１６の厚さは既知であり、ハイレベルの信号を出力する圧力検知素子２２が１個、ローレベルの信号を出力する圧力検知素子２２が２個となる周期があるものとして記憶部１１に記憶されているものとする。また、通帳カセット２内に装填された通帳１６群の両端は図示しないセンサにより検知が可能であるものとし、制御部１２はその通帳１６群と対向する圧力検知素子２２が出力する信号を確認するものとする。
【００２９】
上述した判定の結果、デューティー比が一定であると判定されると通帳カセット２内に異物が装填されていないものとして処理をＳ９ｂへ移行し、図４（ａ）に示すように一定でないと判定されると通帳カセット２内に異物が装填されたものとして処理をＳ７ｂへ移行する。
Ｓ７ｂ：通帳カセット２内に異物が装填されたものと判定されると制御部１２の指示により圧力検知部９は圧力検知板２１を初期位置Ａに戻す。
【００３０】
なお、圧力検知板２１を初期位置Ａに戻す前に制御部１２の指示により圧力検知部９は圧力検知板２１を通帳１６に当接させたまま、押圧板により通帳１６を押圧する力を弱める動作を行うようにしてもよい。このようにして検知されたものが異物でなく通帳１６の装填不良の場合、その通帳１６が通帳カセット２内に正しく装填されるようにする。
ここで、制御部１２の指示により操作表示部１０は記憶部１１に記憶された画面情報、装填された通帳の種類の情報、および通帳カセット２内の通帳冊数の情報をもとに図６に示す係員誘導画面を表示する。
【００３１】
この係員誘導画面は、「納税準備  ２８冊」、「総合口座  ５３冊」、「カードローン  ３４冊」、「普通  ５９冊」、「国債  ２１冊」、「定期  ４１冊」等の紙幣カセット２に装填された通帳の種類および計数した冊数、「右列２段目に異物を検出しましたカセットを取出して確認してください」等の係員を誘導する文言、および表示された画面を切り替える「確認」ボタン等で構成されたものである。
【００３２】
なお、この係員誘導画面に表示される通帳の種類は予め係員等により設定され、記憶部１１に記憶されているものとする。
Ｓ８ｂ：係員は通帳カセット２内に装填された異物を取り出し、本来装填すべき通帳１６と交換し、処理をＳ１ｂへ移行してカセット収納部３から通帳カセット２を取り出し、その取り出した通帳カセット２内に交換した通帳１６を揃えて異物が検知された通帳カセット２に装填した後、通帳カセット２を再びカセット収納部３の装着するものとする。
【００３３】
Ｓ９ｂ：一方、Ｓ６ｂにおいて、通帳カセット２内に異物が装填されていないものと判定されると制御部１２は圧力検知板２１から入力した信号からハイレベルの信号を計数して通帳１６の冊数を算出する。
Ｓ１０ｂ：通帳１６の冊数を算出すると制御部１２の指示により圧力検知部９は圧力検知板２１を初期位置に戻して通帳冊数の計数処理を終了する。
【００３４】
以上説明したように、第１の実施例では、通帳スタッカに収納される通帳毎に印刷された色や紙質が異なる場合であっても、単一の圧力検知板で通帳の冊数を計数することができ、また、複雑なアルゴリズムを用いることなく圧力検知板から得られるハイレベルおよびローレベル等の２値の出力信号から容易に通帳冊数を計数することができるという効果が得られる。
【００３５】
さらに、圧力検知板を採用したことにより、外部からのノイズを遮断する必要がなく通帳処理装置の構成を簡素にすることができるという効果が得られる。
また、厚さや高さが異なる通帳等の異物を検出することができるという効果が得られる。
次に、第２の実施例を説明する。
【００３６】
図７は第２の実施例における圧力検知板の説明図であり、図７（ａ）は圧力検知板からの出力信号を示した図、図７（ｂ）は圧力検知板の上面図、図７（ｃ）は通帳カセット２の側面図である。
図７（ｃ）は通帳カセット２に押圧板２３により押圧された通帳１６が整列して装填され、その通帳１６の上方に圧力検知板が配置されていることを示すものである。
【００３７】
図７（ｂ）において、２１は圧力検知板であり、圧力検知部９を構成する圧力センサである。この圧力検知板２１には複数の圧力検知素子２２が格子状に配置されている。ここで、通帳カセット２に収納された通帳１６の整列方向と同一の方向を圧力検知素子列、その列に直交する方向を圧力検知素子行と呼ぶこととする。
また、通帳カセット２に収納される通帳１６の厚さおよび幅は既知のものであるため、圧力検知素子２２はひとつの通帳１６の綴じ目につき、ひとつの圧力検知素子行におけるすべての列が当接するように配置されている。圧力検知板２１が通帳１６の綴じ目に当接すると図中斜線でハッチングされた圧力検知素子２２１は信号を出力する。
【００３８】
なお、第２の実施例の構成は第１の実施例の構成と圧力検知板２１および圧力検知素子２２の構成が異なるものであり、上述した第１の実施例と同様の部分は、同一の符号を付してその説明を省略する。
上述した構成の作用について説明する。
図８は第２の実施例における通帳冊数の計数処理を示すフローチャートであり、図中Ｓで表すステップにしたがって説明する。
【００３９】
Ｓ１ｃ〜Ｓ５ｃ：図３におけるＳ１ａ〜Ｓ５ａと同様なので説明を省略する。
Ｓ６ｃ：圧力検知板２１を通帳１６に当接させると圧力検知部９は圧力検知板２１からの信号を制御部１２へ出力する。制御部１２は圧力検知板２１から入力した信号から通帳１６の装填不良や横幅が短い通帳１６等の異物の混入があるかを計測する。ここで、装填不良とは通帳１６全体が通帳カセット２の底面から浮いた状態や通帳１６の片側が通帳カセット２の底面から浮いた状態で装填されたことをいう。
【００４０】
制御部１２は、圧力検知板２１から出力された信号からハイレベルを出力する圧力検知素子２２間に存在するローレベルを出力する圧力検知素子２２を計数する処理をすべての圧力検知素子列について行なう。
ここで、この処理について、図７を用いて説明する。
図７は第２の実施例における圧力検知板の説明図であり、図７（ａ）は圧力検知板からの出力信号を示した図、図７（ｂ）は圧力検知板の上面図、図７（ｃ）は通帳カセット２の側面図である。
【００４１】
図７（ｃ）に示すように、通帳カセット２に全体が通帳カセット２の底面から浮いた状態で装填された通帳１６３、片側が通帳カセット２の底面から浮いた状態装填された通帳１６４（装填不良）、通常の通帳１６と比較して幅が狭い通帳１６４（異物）が混入しているものとする。
このように通帳カセット２に装填不良の通帳１６や異物が混入していると図７（ｂ）に示すように圧力検知素子行２２５は通帳１６３に強く当接し、圧力検知素子行２２６の一部は通帳１６４に強く当接し、また、圧力検知素子行２２６の一部は通帳１６４に弱く当接する。さらに、圧力検知素子行２２７の一部が通帳１６５に当接する。なお、図中斜線でハッチングされた圧力検知素子２２は通帳１６に当接していることを示す。
【００４２】
制御部１２は図７（ａ）に示す圧力検知板２１が出力する信号を入力し、ハイレベルおよびローレベルの信号を出力する圧力検知素子２２が出現する周期により装填不良や異物の装填があるか否かを確認する。
すなわち、制御部１２は図７（ａ）に示す圧力検知素子列２２３ように単位素子数３個あたりハイレベルの信号が１個、ローレベルの信号が２個の周期（デューティー比）で一定して出現するか否かをすべての圧力検知素子列について判定する。
【００４３】
なお、本実施例でも、通常の通帳１６の厚さは既知であり、ハイレベルの信号を出力する圧力検知素子２２が１個、ローレベルの信号を出力する圧力検知素子２２が２個となる周期があるものとして記憶部１１に記憶されているものとする。また、通帳カセット２内に装填された通帳１６群の両端は図示しないセンサにより検知が可能であるものとし、制御部１２はその通帳１６群と対向する圧力検知素子２２が出力する信号を確認するものとする。
【００４４】
上述した判定の結果、すべての圧力検知素子列において一定であると判定されると処理をＳ７ｃへ移行し、図７（ａ）に示す圧力検知素子列２２４のように一定でない圧力検知素子列が存在すると判定されると通帳カセット２内に装填不良または異物の装填があったものとして処理をＳ８ｃへ移行する。
Ｓ７ｃ：Ｓ６ｃにおいてすべての圧力検知素子列において一定であると判定されると制御部１２は圧力検知板２１から入力した信号が通常のハイレベルより大きい出力を示すものがすべての圧力検知素子列において存在する否か、すなわち、すべての圧力検知素子列において入力された信号は許容出力の範囲内であるかを判定する。例えば、図７（ａ）に示す圧力検知素子列２２３の出力のように通常のハイレベルより大きい出力２５が存在するか否かを判定する。
【００４５】
ここで、通常のハイレベルを示す基準となる値は予め記憶部１１に記憶されているものとする。
この判定の結果、いずれかの圧力検知素子列において入力された信号が許容出力の範囲外の信号が存在すると判定されると通帳カセット２に装填不良があったものとして処理をＳ８ｃへ移行し、すべての圧力検知素子列において入力された信号は許容出力の範囲内であると判定されると、装填不良はないものとして処理をＳ１０ｃへ移行する。
【００４６】
Ｓ８ｃ：通帳カセット２内に装填不良または異物が装填されたものと判定されると制御部１２の指示により圧力検知部９は圧力検知板２１を初期位置Ａに戻す。
ここで、制御部１２の指示により操作表示部１０は記憶部１１に記憶された画面情報、装填された通帳の種類の情報、および通帳カセット２内の通帳冊数の情報をもとに図６に示す係員誘導画面を表示する。
【００４７】
この係員誘導画面は、「納税準備  ２８冊」、「総合口座  ５３冊」、「カードローン  ３４冊」、「普通  ５９冊」、「国債  ２１冊」、「定期  ４１冊」等の紙幣カセット２に装填された通帳の種類および計数した冊数、「右列２段目に異物を検出しましたカセットを取出して確認してください」等の係員を誘導する文言、および表示された画面を切り替える「確認」ボタン等で構成されたものである。
【００４８】
なお、この係員誘導画面に表示される通帳の種類は予め係員等により設定され、記憶部１１に記憶されているものとする。
Ｓ９ｃ：図５におけるＳ８ｂと同様なので説明を省略する。
Ｓ１０ｃ：一方、通帳カセット２内に装填不良や異物の装填がなかったものと判定されると制御部１２は圧力検知板２１から入力した信号からハイレベルの信号を計数して通帳１６の冊数を算出する。
【００４９】
Ｓ１１ｃ：通帳１６の冊数を算出すると制御部１２の指示により圧力検知部９は圧力検知板２１を初期位置に戻して通帳冊数の計数処理を終了する。
このようにして通帳冊数の計数処理を行なう。
また、制御部１２が圧力検知板２１から入力した信号から通帳１６の装填不良や横幅が短い通帳１６等の異物の混入があると判定したとき通帳カセット２の装填された通帳１６を揃える動作を行うようにした処理を説明する。
【００５０】
図９は第２の実施例における通帳冊数の計数処理を示すフローチャートであり、図中Ｓで表すステップにしたがって説明する。
Ｓ１ｄ〜Ｓ６ｄ：図８におけるＳ１ｃ〜Ｓ６ｃと同様なので説明を省略する。
Ｓ７ｄ：Ｓ６ｄにおいて通帳カセット２内に装填不良や異物の装填があったものと判定されると制御部１２は記憶部１１に記憶された押圧板により通帳１６を押圧する力を弱める動作回数が予め設定され記憶部１１に記憶された許容回数以下であることを判定する。
【００５１】
許容回数以下と判定されると処理をＳ８ｄへ移行し、許容回数を超えたと判定されると処理をＳ１０ｄへ移行する。
Ｓ８ｄ：許容回数以下と判定されると制御部１２の指示により圧力検知部９は圧力検知板２１を通帳１６に当接させたまま、押圧板により通帳１６を押圧する力を弱める動作を行う。このようにして装填不良の通帳１６が通帳カセット２内に正しく装填されるようにする。
【００５２】
このとき、制御部１２は押圧板により通帳１６を押圧する力を弱める動作回数を１加算して記憶部１１に記憶させる。なお、この動作回数は本処理開始時、すなわち、Ｓ１ｄにおいて初期化されるものとする。
動作回数を記憶部１１に記憶させると処理をＳ２ｄへ移行する。
Ｓ９ｄ〜Ｓ１３ｄ：図８におけるＳ７ｃ〜Ｓ１１ｃと同様なので説明を省略する。
【００５３】
なお、上述した説明では、Ｓ６ｄにおいて通帳カセット２内に装填不良や異物の装填があったものと判定された場合に、押圧板により通帳１６を押圧する力を弱める動作を行うようにしたが、Ｓ９ｄにおいていずれかの圧力検知素子列において入力された信号が許容出力の範囲外の信号が存在すると判定されると、すなわち、通帳カセット２に装填不良があったと判定されたときも本動作を行うようにしてもよい。
【００５４】
以上説明したように、第２の実施例では、第１の実施例の効果に加え、通帳カセットに不適切な装填をされた通帳や幅の狭い通帳等の異物を検知することができるという効果が得られる。
また、圧力検知板が通帳を押圧する力を利用して装填時に位置が不適切だった通帳を適切な位置に修正することができるという効果が得られる。
【図面の簡単な説明】
【００５５】
【図１】第１の実施例における通帳処理装置の概略構成を示すブロック図
【図２】第１の実施例における圧力検知板の説明図
【図３】第１の実施例における通帳冊数の計数処理を示すフローチャート
【図４】第１の実施例における圧力検知板の説明図（異物等が装填された場合）
【図５】第１の実施例における通帳冊数の計数処理を示すフローチャート（異物等が装填された場合）
【図６】第１の実施例における係員誘導画面の説明図
【図７】第２の実施例における圧力検知板の説明図
【図８】第２の実施例における通帳冊数の計数処理を示すフローチャート
【図９】第２の実施例における通帳冊数の計数処理を示すフローチャート
【符号の説明】
【００５６】
１    通帳取扱装置
２    通帳カセット
３    カセット収納部
４    ホッパ部
５    通帳搬送路
６    通帳処理部
７    スタック部
８    リジェクト部
９    圧力検知部
１０  操作表示部
１１  記憶部
１２  制御部
１３  通信回線
１４  ホストサーバ
１６  通帳
２１  圧力検知板
２２  圧力検知素子
【図１】
2007241763.tif 000003
【図２】
2007241763.tif 000004
【図３】
2007241763.tif 000005
【図４】
2007241763.tif 000006
【図５】
2007241763.tif 000007
【図６】
2007241763.tif 000008
【図７】
2007241763.tif 000009
【図８】
2007241763.tif 000010
【図９】
2007241763.tif 000011